(57)【要約】【課題】電力消費量を抑えつつ、簡易な機構により、用途に応じた感度となるようにアンテナの受信感度を調整することのできる感度調整装置及びこれを適用した電波通信機器を提供する。【解決手段】腕時計１００は、外部の機器である端末装置Ｇとの間で無線信号を送受信可能なアンテナ１３の電波送受信感度を調整する感度調整装置３０を備えている。この感度調整装置３０は、電波の透過を妨げる遮蔽部３１２Ａと電波を透過させる開放孔３１２とを備える感度調整部材３１を、固定されているアンテナ１３に対して移動させて、アンテナ１３に対する感度調整部材３１の遮蔽部３１２Ａ及び開放孔３１２の位置を変更し、感度調整部材３１により遮蔽されるアンテナ１３の被遮蔽範囲を調整することにより、機械的な構成によりアンテナ１３の電波送受信感度を調整する。【選択図】図１
2012205025.tif 000002
【特許請求の範囲】
【請求項１】
外部の機器との間で無線信号を送受信可能なアンテナの電波送受信感度を調整する感度調整装置であって、
電波の透過を妨げる遮蔽部と電波を透過させる開放部とを備える感度調整部材と、
この感度調整部材を前記アンテナに対して移動させて、前記アンテナに対する前記感度調整部材の前記遮蔽部及び前記開放部の位置を変更し、前記感度調整部材により遮蔽される前記アンテナの被遮蔽範囲を調整することにより、前記アンテナの電波送受信感度を調整可能な調整部材移動手段と、
を備えていることを特徴とする感度調整装置。
【請求項２】
異なる電波送受信感度の下で実現される複数の通信モードを実現可能であり、
前記通信モードを切り替え可能な通信モード切替手段をさらに備え、
前記感度調整部材又は当該感度調整部材の周辺部には、前記通信モードを示すモード表示が付され、
前記調整部材移動手段は、前記通信モード切替手段により前記通信モードが切り替えられると、当該通信モードに適した電波送受信感度となる位置まで前記感度調整部材を移動させるものであり、
前記感度調整部材は、当該通信モードに適した電波送受信感度となる位置に移動した際に、前記モード表示により当該通信モードをインジケートするように構成されていることを特徴とする請求項１に記載の感度調整装置。
【請求項３】
前記感度調整部材は、円盤状に形成された板状部材であり、
前記開放部は、この板状部材に穿設された孔であって、
前記調整部材移動手段は、前記感度調整部材の円中心を回転中心として前記感度調整部材を回転移動させることにより前記開放部の位置を移動させて、前記感度調整部材により遮蔽される前記アンテナの被遮蔽範囲を調整するものであることを特徴とする請求項１又は請求項２に記載の感度調整装置。
【請求項４】
前記感度調整部材は、電波吸収体で形成されていることを特徴とする請求項１から請求項３のいずれか一項に記載の感度調整装置。
【請求項５】
請求項１から請求項４のいずれか一項に記載の感度調整装置と、
前記感度調整装置により電波送受信感度を調整されるアンテナと、
を備えることを特徴とする電波通信機器。 
【発明の詳細な説明】
【技術分野】
【０００１】
本発明は、感度調整装置及びこれを適用した電波通信機器に関するものである。
【背景技術】
【０００２】
近年、無線通信機能を備える電子機器間において、無線方式によってデータのやり取りをしたり、情報の同期を取ったりする等、各種データの送受信（通信）を行う手法が浸透しつつある。
こうした無線通信によって送受信されるデータには個人情報も多く含まれる可能性がある。このため、個人のプライバシー等を保護するためにも、データの送受信は特定の電子機器から特定の電子機器に対して正確に行われる必要がある。
【０００３】
しかし、身の回りに複数の電子機器がある場合、他の電子機器との干渉が起こって目的の電子機器との間で正確に無線通信を行うことができないおそれがある。特にBluetooth（登録商標）など波長の長い電波を取り扱う際には、障害物等に強く電波が遮断されにくいという性質があるために、他の電子機器との干渉を起こしやすい。
【０００４】
従来、無線通信システムにおいて、他の電子機器との干渉を避けて、通信を行いたい電子機器同士を適切にペアリングする方法として、ペアリングしたい電子機器（電子デバイス）を互いに近傍となる位置に配置するとともに、一方の電子機器から問い合わせ信号を送信し、他方の電子機器がこの問い合わせ信号を検出すると、これに対する応答信号を送信する。そして、当該電子機器が問い合わせ信号に応答する最初の電子機器であることに基づいて、双方の電子機器間で、ポイントツーポイント接続を開始するという手法が提案されている（例えば、特許文献１参照）。
【０００５】
しかし、この手法では、ペアリングしたい電子機器同士を近傍位置に配置する等が必要であり、ユーザにとって手間となる。また、ペアリングしたい相手の電子機器の位置が分からない場合もあり、必ずしも両電子機器を近傍位置に配置できるとは限らない。
【０００６】
そこで、他の電子機器との干渉を避けるためには、アンテナの送受信感度を低くして、目的とする電子機器以外との間では通信が成立しないようにしておくことも考えられる。
【先行技術文献】
【特許文献】
【０００７】
【特許文献１】特表２００７−５３６８５２号公報
【発明の概要】
【発明が解決しようとする課題】
【０００８】
しかしながら、電子機器間でデータの送受信を行う目的は様々であり、例えばユーザ自身が身に着けている携帯端末装置と腕時計等の電子機器との間で各種データの送受信を行う場合のように極近距離で送受信を行う場合の他、ユーザが手元から離してしまった電子機器の所在を捜索する場合のようにある程度離れた場所にあると想定される電子機器との間で送受信を行う必要がある場合もある。
【０００９】
前者の場合には、過度に送受信感度が高いと受信領域に通信可能な電子機器が多くなり、通信を行いたい相手を区別することが難しくなるため、送受信感度を低くすることが望まれる。これに対して、後者の場合には、送受信感度が低いと適切に捜索機能を果たすことができない。
このため、電子機器間でデータの送受信する際の電波の送受信感度は、その目的・用途に応じて適宜切り替えられることが求められる。
【００１０】
この点、携帯電話やパーソナルコンピュータ（personal computer）等では、受信回路等、通信関連モジュールにおいて送受信感度の切り替えを行っている。
しかし、特に、腕時計等の小型の電子機器では、バッテリの収容スペースに限りがあるため、できるだけ電力消費量を押えることが重要となるところ、この手法では、通信関連モジュールにおける電力消費量が多くなってしまうとの問題がある。
また、通信関連モジュールにおいて送受信感度の切り替えを行う場合、モジュール等の内部機構が複雑化することにより耐衝撃性能等に制限が出るおそれもある。
【００１１】
本発明は以上のような事情に鑑みてなされたものであり、電力消費量を抑えつつ、簡易な機構により、用途に応じた感度となるようにアンテナの送受信感度を調整することのできる感度調整装置及びこれを適用した電波通信機器を提供することを目的とするものである。
【課題を解決するための手段】
【００１２】
前記課題を解決するために、本発明に係る感度調整装置は、
外部の機器との間で無線信号を送受信可能なアンテナの電波送受信感度を調整する感度調整装置であって、
電波の透過を妨げる遮蔽部と電波を透過させる開放部とを備える感度調整部材と、
この感度調整部材を前記アンテナに対して移動させて、前記アンテナに対する前記感度調整部材の前記遮蔽部及び前記開放部の位置を変更し、前記感度調整部材により遮蔽される前記アンテナの被遮蔽範囲を調整することにより、前記アンテナの電波送受信感度を調整可能な調整部材移動手段と、
を備えていることを特徴としている。
【００１３】
また、本発明に係る電波通信機器は、
請求項１から請求項４のいずれか一項に記載の感度調整装置と、
前記感度調整装置により電波送受信感度を調整されるアンテナと、
を備えることを特徴としている。
【発明の効果】
【００１４】
本発明によれば、感度調整部材をアンテナに対して移動させて、アンテナに対する感度調整部材の遮蔽部及び開放部の位置を変更し、感度調整部材により遮蔽されるアンテナの被遮蔽範囲を調整することにより、アンテナの電波送受信感度を簡易な機構により迅速かつ確実に調整することができる。このように、感度調整部材を機械的に移動させることによってアンテナの電波受信感度を調整するため、受信回路等における電力消費を抑えることができ、簡易な機構により、用途に応じたアンテナの送受信感度の調整を実現することができるという効果を奏する。
【図面の簡単な説明】
【００１５】
【図１】第１の実施形態に係る無線通信機器を適用した腕時計の腕時計本体の正面図である。
【図２】図１の腕時計におけるII−II線断面図である。
【図３】図２における感度調整部材及びその周辺を拡大した要部断面図である。
【図４】第１の実施形態における感度調整部材をレベル１に調整した状態を示す平面図である。
【図５】第１の実施形態における感度調整部材をレベル２に調整した状態を示す平面図である。
【図６】第１の実施形態における感度調整部材をレベル３に調整した状態を示す平面図である。
【図７】図１の腕時計の内部回路構成を示すブロック図である。
【図８】第２の実施形態に係る無線通信機器を適用した腕時計の腕時計本体の正面図である。
【図９】図８の腕時計におけるIX−IX線断面図である。
【図１０】図９における感度調整部材及びその周辺を拡大した要部断面図である。
【図１１】第２の実施形態における感度調整部材をレベル２に調整した状態を示す平面図である。
【図１２】第２の実施形態における感度調整部材である日車を示す平面図である。
【図１３】図１２の日車におけるXIII−XIII線断面図である。
【図１４】（Ａ）は、図１２の日車をレベル「ＨＩＧＨ」に調整した状態を示す要部平面図であり、（Ｂ）は、図１２の日車をレベル「ＭＩＤＤＬＥ」に調整した状態を示す要部平面図であり、（Ｃ）は、図１２の日車をレベル「ＬＯＷ」に調整した状態を示す要部平面図である。
【図１５】アンテナをソーラーパネルの下側に設けた変形例を示す要部断面図である。
【図１６】アンテナを回路基板の上に設けた変形例を示す要部断面図である。
【図１７】第１の実施形態、第２の実施形態における感度調整部材の一変形例を示す平面図である。
【図１８】第１の実施形態、第２の実施形態における感度調整部材の一変形例を示す平面図である。
【図１９】第１の実施形態、第２の実施形態における感度調整部材の一変形例を示す平面図である。
【図２０】第１の実施形態、第２の実施形態における感度調整部材の一変形例を示す平面図である。
【発明を実施するための形態】
【００１６】
以下、図面を参照して、本発明の好適な実施形態について説明する。なお、以下では、本発明に係る感度調整装置を、電波通信機器としての機能を備える腕時計に適用した場合について説明するが、本発明を適用可能な実施形態はこれに限定されるものではない。
【００１７】
［第１の実施の形態］
先ず、図１から図７を参照しつつ、本発明にかかる感度調整装置及びこれを備える腕時計の第１の実施形態について説明する。
【００１８】
図１は、本実施形態に係る腕時計の腕時計本体の正面図であり、図２は、図１におけるII−II線に沿う断面図である。
本実施形態に係る腕時計１００は、電気的な駆動により指針１１（秒針１１ａ、分針１１ｂ、時針１１ｃ）を回転させて時刻を表示するものである。
【００１９】
この腕時計１００は、中空の短柱形状に形成された本体ケース１を備えている。この本体ケース１の上下両端部（図１において上下端部）、つまり時計の１２時方向側端部及び６時方向側端部には、時計バンド（図示せず）が取り付けられるバンド取付部２が形成されている。
【００２０】
また、本体ケース１の外周部には、時刻合わせの指示、送受信感度の調節等を行うための種々の操作指示が入力される複数の操作ボタン３が設けられている。
本実施形態において、操作ボタン３は、後述するアンテナ１３の電波送受信感度を異にする複数の通信モードを切り替えることができ、通信モード切替手段として機能するものである。
具体的には、後述するように、最も低い電波送受信感度（図４等においてＬＶ．１）の下で実現されるペアリングモード、標準的な電波送受信感度（図４等においてＬＶ．２）で実現されるデータ同期モード、最も高い電波送受信感度（図４等においてＬＶ．３）で実現される端末捜索モード／忘れ物防止モードが、操作ボタン３による入力操作により選択、切り替え可能となっている。
【００２１】
本体ケース１は、表面側（図２及び図３において上側）の開口部と、本体ケース１の裏面側（図２及び図３において下側）の開口部とを有している。そして、本体ケース１の表面側開口部には、透明なガラス等の材料で形成された風防ガラス４が防水リング４ａを介して表面側開口部を閉塞するように取り付けられている。一方、本体ケース１の裏面側開口部には、裏蓋部材５が防水リング５ａを介して裏面側開口部を閉塞するように取り付けられている。
【００２２】
本体ケース１の内部には、例えば樹脂等によって形成されたハウジング６が設けられている。ハウジング６には、指針１１である秒針１１ａ、分針１１ｂ、時針１１ｃを運針させる時計ムーブメント（図示せず）、各種電子部品を実装した回路基板１２等が組み込まれている。
【００２３】
また、本実施形態における腕時計１００は、入射光により発電を行うソーラー発電機能を有しており、本体ケース１内であってハウジング６の上には、外部から入射光を取り込んで発電を行う光発電手段であるソーラーパネル１４が配設されている。ソーラーパネル１４により発電された電力は、後述する二次電池２０９（蓄電池手段、図７参照）に送られ、蓄電される。
【００２４】
このソーラーパネル１４と上記風防ガラス４との間には文字板１５が配置されている。この文字板１５の表面には、時字１６が、円周方向にほぼ等間隔で１２箇所に設けられている。
【００２５】
文字板１５のほぼ中央部には、図示しない貫通孔が設けられている。そして、この貫通孔には時計ムーブメントの内部機構側から前面側（風防ガラス４の設けられている側：図２において上側）に向けて指針を支持する軸部材１０が挿通されており、それぞれ指針１１である秒針１１ａ、分針１１ｂ、時針１１ｃを支持している。軸部材１０は、図示しない輪列機構を介して指針駆動モータ１１１（図７参照）に接続されており、秒針１１ａ、分針１１ｂ及び時針１１ｃは、指針駆動回路部２０７（図７参照）の制御によって指針駆動モータ１１１が駆動することにより、対応する軸部材１０が回転すると、文字板１５の外周に沿って設けられている時字１６を指示し、この指示された時字１６の時刻を表示するようになっている。
【００２６】
図３は、図２における左側部分（腕時計１００における９時方向部分）を拡大した要部断面図である。
図３に示すように、本実施形態において、文字板１５の裏面（図３における下側の面）には、チップ状又はループ状の小型のアンテナ１３が設けられている。アンテナ１３は、例えばBluetooth（登録商標）等の規格により通信を行う。なお、アンテナ１３の通信規格、通信可能な周波数帯は、Bluetooth（登録商標）に限定されず、腕時計１００によって行われる各種通信に適したもの（すなわち、周波数等が適合するもの）が適宜適用される。また、アンテナ１３は小型のものであればよく、種類、形状は特に限定されない。また、後述するように、本実施形態では、アンテナ８として、最大で５ｍ程度の範囲内に存する機器との間で信号の送受信を行うことのできる電波送受信感度のものを適用しているが、アンテナ８の電波送受信感度はこれに限定されず、感度を最大としたときにさらに離れた機器との間で信号の送受信を行うことのできるものを用いてもよい。
このアンテナ１３には、コイルスプリング等で形成され回路基板１２と電気的に接続されたコネクタ１７が接続されている。アンテナ１３は、このコネクタ１７を介して、後述する送受信制御回路部２０４と電気的に接続されている。
【００２７】
また、文字板１５の上であって、アンテナ１３の上方位置には、アンテナ１３の電波送受信感度を調整するための感度調整部材３１が設けられている。
本実施形態において感度調整部材３１は、円盤状に形成された板状部材であり、円盤の円中心には軸部材３２が設けられている。感度調整部材３１は、この軸部材３２を回転中心として回転可能に構成されたディスク針である。感度調整部材３１は、輪列機構３３を介して調整部材駆動モータ３４（図７参照）に接続されており、調整部材駆動回路部２０８の制御によって調整部材駆動モータ３４が駆動することにより、感度調整部材３１が軸部材３２を回転中心として回転するように構成されている。
なお、本発明において輪列機構３３は必須の要素ではなく、感度調整部材３１が調整部材駆動モータ３４に直接接続されていてもよい。
また、アンテナ１３の設けられる位置はここに例示したものに限定されない。アンテナ１３が図示例と異なる位置に配置される場合には、感度調整部材３１もこれに対応した位置に配置される。
【００２８】
文字板１５の上であって、感度調整部材３１の近傍位置には、感度調整部材３１によって調整されたアンテナ１３の電波送受信感度を示す表示指針３５が設けられている。表示指針３５は、感度調整部材３１上に設けられたモード表示３１１である「ＬＶ．１」「ＬＶ．２」「ＬＶ．３」（図４から図６等参照）のいずれかを指すようになっており、表示指針３５がいずれかのモード表示３１１を指し示すことにより、設定されている通信モードがインジケートされる。
このため、ユーザは表示指針３５の示すモード表示３１１を見ることにより、現在のアンテナ１３の電波送受信感度がどのレベルであるか、どの通信モードに対応する電波送受信感度となっているかを目視にて容易に確認することができる。
【００２９】
また、文字板１５の上には、アンテナ１３による電波の送受信が完了したときに点灯するＬＥＤ３６が設けられている。
本実施形態において、ＬＥＤ３６は、後述するペアリングモードにおいて腕時計１００と他の（外部の）端末装置Ｇとの間で初期登録（ペアリング）を行った際に、ペアリングが成立（すなわち、腕時計１００と他の端末装置Ｇとの間で電波の送受信が完了）すると点灯するようになっており、ペアリングの成立をユーザに報知する報知手段として機能する。
【００３０】
なお、本実施形態では、ペアリングモードにおいて腕時計１００と他の端末装置Ｇとの間で初期登録（ペアリング）を行った際に、ペアリングが成立すると、ＬＥＤ３６が点灯する場合を例として説明するが、ＬＥＤ３６は、本発明の必須の要素ではなく、ＬＥＤ３６を設けない構成としてもよい。この場合、別途ディスク針等を設けてペアリングの成立を表示させてもよいし、アラーム等によってペアリングの成立を報知するように構成してもよい。また、特に報知を行わない構成としてもよい。
また、本実施形態では、ＬＥＤ３６が点灯するのはペアリングモードにおいてペアリングが成立した際のみとしたが、例えば、データ送受信モードにおいてデータの送受信が完了した際や、端末捜索モードにおいて捜索対象の端末装置Ｇとの間で電波の送受信が行われた際等にもＬＥＤ３６が点灯して、その旨をユーザに報知するように構成してもよい。
【００３１】
図４から図６は、本実施形態における感度調整部材３１の平面図である。
図４から図６に示すように、感度調整部材３１には、円盤の円中心の周囲に、通信モードを示すモード表示３１１として、「ＬＶ．１」「ＬＶ．２」「ＬＶ．３」が付されている。本実施形態では、後述するように、選択可能な通信モードとして「ペアリングモード」「データ同期モード」「端末捜索モード／忘れ物防止モード」があり、各モード表示３１１は、「ＬＶ．１」が「ペアリングモード」、「ＬＶ．２」が「データ同期モード」、「ＬＶ．３」が「端末捜索モード／忘れ物防止モード」にそれぞれ対応している。
【００３２】
また、円盤の円中心を挟んでモード表示３１１である「ＬＶ．２」及び「ＬＶ．３」に対応する位置には、それぞれ大きさの異なる２つの開放孔３１２（３１２ａ及び３１２ｂ）が穿設されている。
感度調整部材３１は、電波を吸収する電波吸収体等、電波の透過を妨げることのできる材料で形成されている。具体的には、例えば、磁性材料や磁性粉を含有する材料を所定の形状に成型したり、所定の形状に成型された基材に磁性シートを貼付したものが感度調整部材３１として適用可能である。
感度調整部材３２において、開放孔３１２は電波を透過させる開放部を構成し、感度調整部材３１の開放孔３１２以外の部分は電波の透過を妨げる遮蔽部３１２Ａを構成している。
【００３３】
各開放孔３１２ａ，３１２ｂ及び遮蔽部３１２Ａは、感度調整部材３１を、その円中心に設けられた軸部材３２を回転中心として回転移動させた際に、順次アンテナ１３の上方に位置するようになっている。
具体的には、表示指針３５が「ＬＶ．３」のモード表示３１１を示す位置に感度調整部材を移動（回転）させると、アンテナ１３の上方に開放孔３１２ａが配置され（図６参照）、表示指針３５が「ＬＶ．２」のモード表示３１１を示す位置に感度調整部材を移動（回転）させると、アンテナ１３の上方に開放孔３１２ｂが配置され（図５参照）、表示指針３５が「ＬＶ．１」のモード表示３１１を示す位置に感度調整部材を移動（回転）させると、アンテナ１３の上方に遮蔽部３１２Ａが配置される（図４参照）。
【００３４】
このうち「ＬＶ．３」（「端末捜索モード／忘れ物防止モード」に対応）のモード表示３１１に対応する開放孔３１２ａは、アンテナ１３のほぼ全体を露出させる寸法となっており、アンテナ１３の上方にこの開放孔３１２ａを位置させたときにアンテナ１３の電波送受信感度は最大となる。本実施形態では、アンテナ１３は、この最も電波送受信感度のよい状態下において５ｍ程度の範囲内で電波の送受信が可能となっている。
また、「ＬＶ．２」（「データ同期モード」に対応）のモード表示３１１に対応する開放孔３１２ｂは、アンテナ１３の半分程度を露出させる寸法となっており、アンテナ１３の上方にこの開放孔３１２ｂを位置させたときにアンテナ１３の電波送受信感度は中程度となる。本実施形態では、アンテナ１３の上方にこの開放孔３１２ｂを位置させた際に１〜２ｍ程度の範囲内で電波の送受信が可能となっている。
また、「ＬＶ．１」（「ペアリングモード」に対応）のモード表示３１１に対応する部分は、開放孔が設けられていない遮蔽部３１２Ａとなっており、アンテナ１３の上方にこの部分を位置させたときのアンテナ１３の電波送受信感度は最小レベルとなる。本実施形態では、アンテナ１３の上方にこの部分を位置させた際には、接触又はそれに近い１０ｃｍ程度の範囲内で電波の送受信が可能となっている。
【００３５】
なお、本実施形態では、アンテナ１３及び後述する送受信制御回路２０４自体は、常に最大の電波送受信感度（例えば本実施形態ではアンテナ１３から５ｍ程度の範囲内で電波を送受信可能な電波送受信感度）が維持されており、感度調整部材３１によるアンテナ１３の被遮蔽範囲を変えることで電波送受信感度を機械的に調整するようになっている。
初期状態（すなわち通信モードの切り替え操作が行われない状態）において電波送受信感度をどのレベルに調整しておくかは、ユーザが設定可能であってもよい。例えば使用頻度の高いと思われる通信モードがデータ同期モードであるときには、初期状態においては、これに対応した電波送受信感度である「ＬＶ．２」となる位置に感度調整部材３１が配置される。
【００３６】
次に、図７を参照しつつ、本実施形態における腕時計１００の機能的構成について説明する。
この腕時計１００は、例えば、図７に示すように、入力部２００、ＣＰＵ（Central Processing Unit）２０１、ＲＯＭ（Read Only Memory）２０２、ＲＡＭ（Random Access Memory）２０３、受信制御回路部２０４、計時回路部２０５、発振回路部２０６、指針駆動回路部２０７、調整部材駆動回路部２０８、電源供給手段としての二次電池２０９等を備えて構成されている。
【００３７】
入力部２００は、腕時計１００の各種機能の実行を指示するための操作ボタン３等で操作されるスイッチからなり、ユーザによりこの操作ボタン３等が操作されると、これに基づいて、対応する操作信号をＣＰＵ２０１に対して出力するようになっている。
本実施形態では、腕時計１００は、異なる電波送受信感度の下で実現される複数の通信モード（すなわち、本実施形態において「ペアリングモード」「データ同期モード」「端末捜索モード／忘れ物防止モード」）を実現可能であり、ユーザは操作ボタン３等を操作することにより、この通信モードを適宜切り替えることができる。入力部２００は、操作ボタン３等の操作により通信モードを切り替える指示が入力されたときに、これに対応する操作信号をＣＰＵ２０１に対して出力する通信モード切替手段として機能する。
【００３８】
ＣＰＵ２０１は、例えば、所定のタイミング或いは入力部２００から入力された操作信号等に応じて、ＲＯＭ２０２に格納されている各種プログラムを読み出してＲＡＭ２０３の作業領域に展開し、当該プログラムに従って腕時計１００を構成する各部への指示やデータの転送等の各種処理を実行するものである。
具体的には、ＣＰＵ２０１は、例えば、発振器を備える発振回路部２０６から出力される信号に基づき、計時回路部２０５で計数される現在時刻データを修正する処理や、修正された現在時刻データに基づく信号等を指針駆動回路部２０７に出力して現在時刻等を表示させる処理等の各種制御を行う。
【００３９】
また、本実施形態では、ＣＰＵ２０１は、送受信制御回路部２０４を制御してアンテナ１３から各種データを送信させたり、アンテナ１３によって受信された各種データをＲＡＭ２０３に記憶させたり、当該データに基づいて各種処理を実行するように各部を制御したりする。
【００４０】
また、ＣＰＵ２０１は、入力部２００から通信モードを切り替える指示が入力されると、指示された通信モードに対応するアプリケーションプログラムをＲＯＭ２０２から読み出して起動させるとともに、調整部材駆動回路部２０８を制御して、調整部材駆動モータ３４を駆動させ、当該通信モードに適した電波送受信感度となる位置まで感度調整部材３１を回転させる。
本実施形態では、腕時計１００は、通信モードとして、例えば、ペアリングモード、データ同期モード、端末捜索モード又忘れ物防止モードを実現可能となっている。
【００４１】
ペアリングモードは、例えばユーザが腕時計１００と新たな端末装置Ｇ（例えば友人の端末装置等）との間で新たにペアリング（すなわち、端末装置間において相互に関連付けを行う初期登録）を成立させ、データの送受信等ができる状態にするための通信モードである。例えば腕時計１００と新たな端末装置Ｇである友人の携帯電話との間でペアリングを行う場合には、腕時計１００からペアリングしたい端末装置Ｇに対して問合せ信号を送信し、送信先の端末装置Ｇからこの問合せ信号に対する応答信号が腕時計１００に送信され、腕時計１００のアンテナ８がこの応答信号を受信してＣＰＵ２０１に送ると、腕時計１００と当該端末装置Ｇとの間でペアリングが成立する。
入力部２００からペアリングモードを選択する指示が入力されると、ＣＰＵ２０１は、周囲に存する他の端末装置Ｇとの間で予期せぬペアリングが成立することのないように、腕時計１００と端末装置Ｇとが接触又はそれに近い距離まで接近した場合にのみ電波の送受信が可能な程度までアンテナ１３の電波送受信感度が低くなるように、感度調整装置３０の感度調整部材３１を調整する。
本実施形態では、図４において「ＬＶ．１」とされている通信モードがペアリングモードに対応する電波送受信感度となっており、ペアリングモードが選択されると、ＣＰＵ２０１は、調整部材駆動回路部２０８を制御して、調整部材駆動モータ３４を駆動させ、文字板１５上の表示指針３５が「ＬＶ．１」のモード表示３１１を指す位置まで感度調整部材３１を回転させる。
【００４２】
また、データ同期モードは、例えば既に腕時計１００との間でペアリングが成立している端末装置Ｇであって、ユーザが身につけている端末装置Ｇ等（例えば、ユーザの所持している図示しない携帯電話）、腕時計１００の比較的近距離に位置する端末装置Ｇとの間でデータの同期を図ることを想定した通信モードである。
入力部２００からデータ同期モードを選択する指示が入力されると、ＣＰＵ２０１は、アンテナ１３が１〜２ｍ程度の範囲内に存する端末装置Ｇとの間で電波を送受信することのできる電波送受信感度となるように、感度調整装置３０の感度調整部材３１を調整する。
本実施形態では、図５において「ＬＶ．２」とされている通信モードがデータ同期モードに対応する電波送受信感度となっており、ＣＰＵ２０１は、調整部材駆動回路部２０８を制御して、調整部材駆動モータ３４を駆動させ、文字板１５上の表示指針３５が「ＬＶ．２」のモード表示３１１を指す位置まで感度調整部材３１を回転させる。
【００４３】
また、端末捜索モードは、例えばユーザが腕時計１００との間でペアリング済みである自己又は友人の端末装置Ｇ等の場所を捜索する場合を想定した通信モードであり、忘れ物防止モードは、例えばユーザが腕時計１００との間でペアリング済みである自分の端末装置Ｇから所定の距離離れたときに、ブザー等により警告を発することを想定した通信モードである。
いずれの場合も、入力部２００からこれらの通信モードを選択する指示が入力されると、ＣＰＵ２０１は、アンテナ１３が５ｍ程度の範囲内に存する端末装置Ｇとの間で電波を送受信することのできる電波送受信感度となるように、感度調整装置３０の感度調整部材３１を調整する。
本実施形態では、図４において「ＬＶ．３」とされている通信モードが端末捜索モード／忘れ物防止モードに対応する電波送受信感度となっており、ＣＰＵ２０１は、調整部材駆動回路部２０８を制御して、調整部材駆動モータ３４を駆動させ、文字板１５上の表示指針３５が「ＬＶ．３」のモード表示３１１を指す位置まで感度調整部材３１を回転させる。
【００４４】
ＲＯＭ２０２は、読み出し専用のメモリであり、腕時計１００の種々の機能を実現させるためのシステムプログラムや各種アプリケーションプログラム、各種データ等を記憶するものである。
本実施形態では、ＲＯＭ２０２には、アプリケーションプログラムとして、ペアリングモード、データ同期モード、端末捜索モード／忘れ物防止モードを実現するためのプログラムが記憶されている。
ＲＡＭ２０３は、例えば、揮発性の半導体メモリであり、ＣＰＵ２０１により実行される各種プログラムや、これらのプログラムの実行に係るデータ等を一時的に保持するためのメモリ領域を備え、ＣＰＵ２０１の作業領域として用いられる。
【００４５】
送受信制御回路部２０４は、アンテナ１３で受信された受信信号から不要な周波数成分を取り除いて所定の周波数信号を取り出し、この周波数信号を対応する電気信号に変換してＣＰＵ２０１に出力する。
【００４６】
発振回路部２０６は、常時一定周波数のクロック信号を出力する回路であり、計時回路部２０５は、発振回路部２０６から入力される信号を計数して、現在時刻データ等を取得するものである。計時回路部２０５は、取得した現在時刻データをＣＰＵ２０１に対して出力するようになっている。
【００４７】
指針駆動回路部２０７は、例えば、ＣＰＵ２０１からのデータや制御信号等に基づいて指針駆動モータ１１１を駆動させ、図示しない輪列機構を動作させて、各指針１１（すなわち、秒針１１ａ、分針１１ｂ、時針１１ｃ）を動作させるものである。
【００４８】
調整部材駆動回路部２０８は、例えば、ＣＰＵ２０１からの制御信号等に基づいて調整部材駆動モータ３４を駆動させ、入力部２００等から入力指示された通信モードに対応する電波送受信感度となる位置まで感度調整部材３１を回転させるものである。
本実施形態において、感度調整部材３１をアンテナ１３に対して移動させて、アンテナ１３に対する感度調整部材３１の遮蔽部３１２Ａ及び開放部である開放孔３１２の位置を変更し、感度調整部材３１により遮蔽されるアンテナ１３の被遮蔽範囲を調整することにより、アンテナ１３の電波送受信感度を調整可能な調整部材移動手段は、調整部材駆動回路部２０８及び調整部材駆動モータ３４によって構成されている。
また、これら調整部材駆動回路部２０８及び調整部材駆動モータ３４と、電波の透過を妨げる遮蔽部３１２Ａと電波を透過させる開放部である開放孔３１２とを備える感度調整部材３１とによって、外部の機器である携帯電話などの他の端末装置Ｇとの間で無線信号を送受信可能なアンテナ１３の電波送受信感度を調整する感度調整装置３０が構成されている。
【００４９】
二次電池２０９は、ソーラーパネル１４により発電された電力を蓄積してＣＰＵ２０１を介して各部に電源を供給する、腕時計１００の電源供給手段である。
【００５０】
次に、本実施形態における感度調整装置３０及び電波通信機器である腕時計１００の作用について説明する。
【００５１】
ユーザが自己の腕時計１００と自己や友人の端末装置Ｇとの間で新たにペアリング（初期登録）を成立させ、腕時計１００と当該端末装置Ｇとの間でデータの送受信等ができる状態にしたい場合には、操作ボタン３を操作して、通信モードとしてペアリングモードを選択する指示を入力すると、入力部２００からＣＰＵ２０１にペアリングモードで通信を行うように指示信号が送られる。
ＣＰＵ２０１は、指示信号を受けると、ペアリングモードを実現するためのアプリケーションプログラムをＲＯＭ２０２から読み出して起動させるとともに、調整部材駆動回路部２０８を制御して、調整部材駆動モータ３４を駆動させ、文字板１５上の表示指針３５が「ＬＶ．１」のモード表示３１１を指す位置まで感度調整部材３１を回転させる。
ユーザが、この状態でペアリングの対象となる端末装置Ｇを腕時計１００に接触又は１０ｃｍ程度の距離まで近接させると、腕時計１００のアンテナ１３からペアリングのための問合せ信号（例えば腕時計１００の個体識別番号等を含む信号）が送信され、この問合せ信号を受信可能な距離にある端末装置Ｇのみが当該信号を受信する。問合せ信号を受信した端末装置Ｇは応答信号（例えば当該端末装置Ｇの個体識別番号等を含む信号）を腕時計１００に返信し、腕時計１００のアンテナ１３がこの応答信号を受信すると、当該応答信号がＣＰＵ２０１に送られ、ＣＰＵ２０１は当該端末装置Ｇを以後腕時計１００との間でデータの送受信が可能な端末装置として登録する。これによりペアリングが成立し、ＣＰＵ２０１は、ＬＥＤ３６を点灯させて、ユーザにペアリングの成立を報知する。
なお、ペアリングモードに切り替えた上でユーザが腕時計１００とペアリングの対象となる端末装置Ｇとを近づけてもペアリングが成立しない場合、すなわち、ペアリングモードでの通信を開始して一定時間が経過してもＬＥＤ３６が点灯しない場合には、ユーザが通信モードをデータ同期モード等、ペアリングモードよりもアンテナ１３の電波送受信感度の高い通信モードに切り替えてさらにペアリングを試みることができるようにしてもよい。
【００５２】
ユーザが既にペアリング（初期登録）が成立している端末装置Ｇと腕時計１００との間でデータを送受信し、互いのデータを同期させたい場合には、操作ボタン３を操作して、通信モードとしてデータ同期モードを選択する指示を入力すると、入力部２００からＣＰＵ２０１にデータ同期モードで通信を行うように指示信号が送られる。
ＣＰＵ２０１は、指示信号を受けると、データ同期モードを実現するためのアプリケーションプログラムをＲＯＭ２０２から読み出して起動させるとともに、調整部材駆動回路部２０８を制御して、調整部材駆動モータ３４を駆動させ、文字板１５上の表示指針３５が「ＬＶ．２」のモード表示３１１を指す位置まで感度調整部材３１を回転させる。
これにより、腕時計１００は、アンテナ１３が１〜２ｍ程度の範囲内に存する他の端末装置Ｇとの間で電波を送受信することのできる状態となり、例えばユーザが身に付けている携帯電話等、比較的近距離に位置する端末装置Ｇとの間でデータの送受信を行うことにより、相互のデータが同期される。
【００５３】
また、ユーザが既にペアリング（初期登録）が成立している端末装置Ｇの所在を、腕時計１００を用いて捜索したい場合や、端末装置Ｇが所定の距離以上離れた場合にその旨を通知して欲しい場合には、操作ボタン３を操作して、通信モードとして端末捜索モード／忘れ物防止モードを選択する指示を入力すると、入力部２００からＣＰＵ２０１に端末捜索モード／忘れ物防止モードで通信を行うように指示信号が送られる。
ＣＰＵ２０１は、指示信号を受けると、端末捜索モード／忘れ物防止モードを実現するためのアプリケーションプログラムをＲＯＭ２０２から読み出して起動させるとともに、調整部材駆動回路部２０８を制御して、調整部材駆動モータ３４を駆動させ、文字板１５上の表示指針３５が「ＬＶ．３」のモード表示３１１を指す位置まで感度調整部材３１を回転させる。
これにより、腕時計１００のアンテナ１３の電波送受信感度は最大となり、５ｍ程度の範囲内に存する端末装置Ｇとの間で電波を送受信することのできる状態となる。
この場合、例えば端末捜索モードであれば、腕時計１００から５ｍ程度の範囲内に存するペアリング済みの端末装置Ｇに対して、腕時計１００のアンテナ１３から応答を要求する信号が送信され、端末装置Ｇがこの信号を受信して応答信号を腕時計１００に送信すると、その旨がブザー等の音やＬＥＤ３６の点滅等によりユーザに報知される。また、例えば忘れ物防止モードであれば、腕時計１００のアンテナ１３からペアリング済みの端末装置Ｇに対して応答を要求する信号が送信され、端末装置Ｇはこの信号を受信して応答信号を腕時計１００に送信する。そして、端末装置Ｇからの応答信号が受信できなくなると、ＣＰＵ２０１は端末装置Ｇが所定の距離（本実施形態ではアンテナ１３の電波送受信可能な範囲である５ｍ）以上ユーザから離間したと判断して、その旨をブザー等の音やＬＥＤ３６の点滅等によりユーザに報知する。
【００５４】
以上のように、本実施形態によれば、異なる電波送受信感度の下で実現される複数の通信モード（例えばペアリングモード、データ同期モード、端末捜索モード／忘れ物防止モード）を実現可能であるため、ユーザの目的・用途に応じた各種の通信を行うことができる。
そして、アンテナ１３の電波送受信感度をこれらの通信モードに応じた調整する手法として機械的に感度調整部材３１を回転させて、感度調整部材３１により遮蔽されるアンテナ１３の被遮蔽範囲を調整するという構成をとっているため、受信回路等、通信関連モジュールにおいて送受信感度の切り替えを行う場合と比較して、アンテナ１３の電波送受信感度の調整にかかる電力消費量を抑えることができる。このため、腕時計１００のように、大型のバッテリを収容するスペースのない電波通信機器においても適切にアンテナ１３の電波送受信感度調整を行うことができる。
感度調整部材３１は、円盤状に形成された板状部材であり、感度調整部材３１の円中心を回転中心として感度調整部材３１を回転移動させることにより、この板状部材に穿設された開放孔３１２（開放部）及び開放孔３１２以外の部分（遮蔽部３１２Ａ）の位置を移動（調整）することによりアンテナ１３の電波送受信感度を調整することができる。このため、モジュール等の内部機構が複雑化せず、耐衝撃性能等の制限を受けることなく、簡易な機構によりアンテナ１３の電波送受信感度の調整を実現することができる。
また、感度調整部材１３は、電波吸収体で形成されているため、開放孔３１２を穿設して開放部とし、それ以外の部分を遮蔽部３１２Ａとすることで、簡易な加工によりアンテナ１３の電波送受信感度を調整可能な感度調整部材１３を形成することができる。
さらに、本実施形態では、感度調整部材３１には、各通信モード（例えば「ペアリングモード」、「データ同期モード」、「端末捜索モード／忘れ物防止モード」）に対応したモード表示３１１（図４から図６において「ＬＶ．１」、「ＬＶ．２」、「ＬＶ．３」）が付されている。そして、通信モードが切り替えられ、感度調整部材３１が当該通信モードに適した電波送受信感度となる位置に移動した際には、表示指針３５が現在設定されている通信モードに対応するモード表示３１１を指し示すことにより、当該通信モードをインジケートするように構成されている。このため、通信モードを表示する部材等を別途設けることなく、現在設定されている通信モードをユーザが目視にて容易に確認することができる。
【００５５】
［第２の実施の形態］
次に、図８から図１１を参照しつつ、本発明に係る感度調整装置及び電波通信機器の第２の実施形態について説明する。なお、本実施形態は、感度調整装置の一部の構成のみが第１の実施形態と異なるものであるため、以下においては、特に第１の実施形態と異なる点について説明する。
【００５６】
図８は、本実施形態に係る腕時計の腕時計本体の正面図であり、図９は、図８におけるIX−IX線に沿う断面図である。また、図１０は、図９において感度調整部材が設けられている周辺部分（図９における左側部分）を拡大した要部断面図である。
図８から図１０に示すように、本実施形態において、文字板１５の上であって、感度調整部材３１が設けられている部分には、感度調整部材３１の周囲を囲むように環状の電波遮蔽部材３８が立設されている。
【００５７】
図１１は、感度調整部材３１及び電波遮蔽部材３８等を拡大した平面図である。
電波遮蔽部材３８は、水平方向（図９及び図１０において横方向）からアンテナ１３に入る電波を遮蔽してアンテナ１３の電波の送受信方向を制限するためのものである。
電波遮蔽部材３８は、例えば電波を吸収する電波吸収体等、電波の透過を妨げることのできる材料で形成されている。具体的には、例えば、磁性材料や磁性粉を含有する材料を所定の形状に成型したり、所定の形状に成型された基材に磁性シートを貼付することにより形成される。
電波遮蔽部材３８の大きさ及び高さは特に限定されないが、図８から図１１に示すように、感度調整部材３１の周縁部近傍に配置されることが好ましく、その高さは、感度調整部材３１の高さとほぼ同等程度かそれよりも高い方が、水平方向からアンテナ１３に入る電波を適切に遮蔽することができるため、好ましい。
【００５８】
なお、その他の構成は、第１の実施形態で説明したものと同様であるため、同一部材には同一の符号を付してその説明を省略する。
【００５９】
次に、本実施形態における感度調整装置３０及び電波通信機器である腕時計１００の作用について説明する。
【００６０】
通信モードとしてペアリングモードが選択されると、ＣＰＵ２０１は、調整部材駆動回路部２０８を制御して、調整部材駆動モータ３４を駆動させ、文字板１５上の表示指針３５が「ＬＶ．１」のモード表示３１１を指す位置まで感度調整部材３１を回転させる。また、通信モードとしてデータ同期モードが選択されると、ＣＰＵ２０１は、調整部材駆動回路部２０８を制御して、調整部材駆動モータ３４を駆動させ、文字板１５上の表示指針３５が「ＬＶ．２」のモード表示３１１を指す位置まで感度調整部材３１を回転させる。また、通信モードとして端末捜索モード／忘れ物防止モードが選択されると、ＣＰＵ２０１は、調整部材駆動回路部２０８を制御して、調整部材駆動モータ３４を駆動させ、文字板１５上の表示指針３５が「ＬＶ．３」のモード表示３１１を指す位置まで感度調整部材３１を回転させる。
いずれの通信モードが選択された場合にも、水平方向からアンテナ１３に入る電波は電波遮蔽部材３８により遮蔽されるため、アンテナ１３には上方向、すなわち、感度調整部材３１が設けられている方向から電波が入る。この結果、電波送受信感度が「ＬＶ．１」や「ＬＶ．２」に設定される場合には、アンテナ１３には、感度調整部材３１の遮蔽部３１２Ａや開放孔３１２ｂを介した電波のみが入るため、より高精度にアンテナ１３の電波送受信感度が調整される。
【００６１】
以上のように、本実施形態によれば、第１の実施形態において述べた各効果に加えて、以下の効果がある。
すなわち、本実施形態では、感度調整部材３１の周囲を囲むように電波の透過を妨げる電波遮蔽部材３８が立設されているため、水平方向（図９及び図１０において横方向）からアンテナ１３に入る電波は、この電波遮蔽部材３８により遮蔽されてアンテナ１３の電波の送受信方向が制限される。このため、特に、電波送受信感度が「ＬＶ．１」や「ＬＶ．２」に設定される場合において、アンテナ１３に入る電波を、感度調整部材３１の遮蔽部３１２Ａや開放孔３１２ｂを介した上方向からの電波のみに制限することができ、より高精度にアンテナ１３の電波送受信感度を調整することができる。
【００６２】
［第３の実施の形態］
次に、図１２から図１４を参照しつつ、本発明に係る感度調整装置及び電波通信機器の第３の実施形態について説明する。なお、本実施形態は、感度調整装置の構成が第１の実施形態と異なるものであるため、以下においては、特に第１の実施形態と異なる点について説明する。
【００６３】
本実施形態において、電波通信機器である腕時計は、図１２等に示す日車４１を備え、日付を表示する機能を有するものである。
図１２は、日車４１とアンテナ装置等の位置関係を示す図であり、図１３は、図１２のXIII-XIII線に沿う断面図である。なお、図１２では、文字板５０を二点鎖線で示している。また、図１３では、文字板５０上の時字１６や指針１１等の表示は省略している。
【００６４】
図１２に示すように、日車４１は、環状の部材の表面に日付表示に用いられる「１」から「３１」の数字が付されたものである。日車４１は、図１２及び図１３に示すように、文字板５０の下側（腕時計の裏面側）に、文字板５０と重なり合うようにして配置されている。
日車４１には、日付表示用の数字の間に開放孔４２が設けられている。本実施形態では、図１２及び図１４（Ａ）〜図１４（Ｃ）に示すように、「１」と「３１」との間に開放孔４２を設ける例を示しているが、開放孔４２を設ける位置はこれに限定されない。
【００６５】
日車４１は、例えば電波を吸収する電波吸収体等、電波の透過を妨げることのできる材料で形成されている。具体的には、例えば、磁性材料や磁性粉を含有する材料を所定の形状に成型したり、所定の形状に成型された基材に磁性シートを貼付することにより形成される。日車４１は、開放孔４２が電波を透過させる開放部として機能し、開放孔４２以外の部分が電波の透過を妨げる遮蔽部として機能し、この開放孔４２及び遮蔽部の位置を調整することによりアンテナ１３の電波送受信感度を調整する感度調整部材として機能するものである。
【００６６】
文字板５０の一端側（本実施形態では、図１２に示すように、ほぼ時計における３時の位置）には、日車４１の表面に付された日付を１つずつ露出させる日付用窓５１が設けられており、この日付用窓５１に対応する位置にある数字（図１２では「２」）のみが日付用窓５１から目視できるようになっている。
また、文字板５０上であって、日付用窓５１の側部には、第１の実施形態で説明した３つの通信モード（すなわち、「ペアリングモード」、「データ同期モード」、「端末捜索モード／忘れ物防止モード」）に対応したモード表示４３（図１２及び図１４において「ＬＯＷ」「ＭＩＤＤＬＥ」「ＨＩＧＨ」）が付されている。
前記開放孔４２は、モード表示４３に隣接する側に頂点を有する三角形状となっており、通信モードを切り替えた際に、いずれかのモード表示４３を指し示すようになっている。
【００６７】
文字板５０と日車４１とが重なり合っている部分の下方（図１３において下方、腕時計の裏面側）には、アンテナ１３が設けられている。アンテナ１３は、日付用窓５１とほぼ重なり合う位置であって、「ＨＩＧＨ」のモード表示４３の側部近傍に配置されている。
【００６８】
本実施形態では、入力部２００から通信モードを切り替える旨の指示が入力されると、日車４１の回転を制御する回路部（図示せず）の制御によって、開放孔４２が「ＬＯＷ」「ＭＩＤＤＬＥ」「ＨＩＧＨ」のうちいずれかのモード表示４３を指し示す位置まで日車４１が回転する。
開放孔４２が「ＬＯＷ」のモード表示４３を指し示す位置まで日車４１が回転すると、図１４（Ｃ）に示すように、開放孔４２はアンテナ１３の上に全くかからず、アンテナ１３が日車４１の開放孔４２以外の部分（すなわち遮蔽部）で覆われて、「ペアリングモード」に対応する最も電波送受信感度の低い状態となる。
開放孔４２が「ＭＩＤＤＬＥ」のモード表示４３を指し示す位置まで日車４１が回転すると、図１４（Ｂ）に示すように、アンテナ１３の半分程度が開放孔４２から露出し、アンテナ１３の電波送受信感度は「データ同期モード」に対応する中程度となる。
開放孔４２が「ＨＩＧＨ」のモード表示４３を指し示す位置まで日車４１が回転すると、図１４（Ａ）に示すように、アンテナ１３のほぼ全体が開放孔４２から露出し、アンテナ１３の電波送受信感度は「端末捜索モード／忘れ物防止モード」に対応する最も電波送受信感度のよい状態となる。
【００６９】
本実施形態では、感度調整部材として機能する日車４１と、この日車４１を回転移動させる図示しない日車移動手段とによって、アンテナ１３の電波送受信感度を調整する感度調整装置が構成される。
【００７０】
なお、その他の構成は、第１の実施形態で説明したものと同様であるため、同一部材には同一の符号を付してその説明を省略する。
【００７１】
次に、本実施形態における感度調整装置及び電波通信機器である腕時計の作用について説明する。
【００７２】
通信モードとしてペアリングモードが選択されると、ＣＰＵ２０１は、日車移動手段を制御して、図１４（Ｃ）に示すように、開放孔４２が「ＬＯＷ」のモード表示４３を指し示す位置まで日車４１を回転させる。これにより、アンテナ１３全体が日車４１の開放孔４２以外の部分（すなわち遮蔽部）で覆われた状態となり、アンテナ１３の電波送受信感度は、「ペアリングモード」に対応する最も低い状態となる。この状態で通信を行うことにより、腕時計は、接触又はそれに近い距離に近接した端末装置Ｇとの間でペアリング（初期登録）を行うことができる。
通信モードとしてデータ同期モードが選択されると、ＣＰＵ２０１は、日車移動手段を制御して、図１４（Ｂ）に示すように、開放孔４２が「ＭＩＤＤＬＥ」のモード表示４３を指し示す位置まで日車４１を回転させる。これにより、アンテナ１３の半分程度が開放孔４２から露出した状態となり、アンテナ１３の電波送受信感度は、「データ同期モード」に対応する中程度の状態となる。この状態で通信を行うことにより、腕時計は、１〜２ｍ程度の範囲内にある端末装置Ｇとの間でデータの送受信を行うことができる。
通信モードとして端末捜索モード／忘れ物防止モードが選択されると、ＣＰＵ２０１は、日車移動手段を制御して、図１４（Ａ）に示すように、開放孔４２が「ＨＩＧＨ」のモード表示４３を指し示す位置まで日車４１を回転させる。これにより、アンテナ１３のほぼ全体が開放孔４２から露出した状態となり、アンテナ１３の電波送受信感度は、「端末捜索モード／忘れ物防止モード」に対応する最も高い状態となる。この状態で通信を行うことにより、腕時計は、５ｍ程度の範囲内にある端末装置Ｇを捜索したり、５ｍ以上端末装置Ｇから離れた場合にブザー等による報知を受けることができる。
なお、通信が終了すると、日車４１は日付を表示するもとの位置まで回転して停止する。
【００７３】
以上のように、本実施形態によれば、第１の実施形態において述べた各効果に加えて、以下の効果がある。
すなわち、本実施形態では、日車４１を感度調整部材として用いるため、電波通信機器である腕時計が、女性用の腕時計のように文字板５０の面積が小さく、指針１１（秒針１１ａ、分針１１ｂ、時針１１ｃ）の他にはディスク針等を備えないようなものであっても、日車４１を備え、日付表示機能を有するものであれば、この日車４１を用いてアンテナ１３の電波送受信感度を調整する感度調整装置を構成することができる。
【００７４】
なお、以上本発明の実施形態について説明したが、本発明は、かかる実施形態に限定されず、その要旨を逸脱しない範囲で、種々変形が可能であることは言うまでもない。
【００７５】
例えば、上記各実施形態では、アンテナ１３が文字板の下に配置されている場合を例として説明したが、アンテナ１３の設けられる位置はこれに限定されない。例えば、図１５に示すように、ソーラーパネル１４の下側（腕時計における裏面側）にアンテナ１３を配置してもよいし、図１６に示すように、回路基板１２の上側（腕時計における表面側）にアンテナ１３を配置してもよい。アンテナ１３を回路基板１２の上側に配置した場合には、アンテナ１３と回路基板１２とを直接接続すればよく、コネクタ１７を設ける必要がない。
【００７６】
また、モード表示は第１の実施形態及び第２の実施形態において示した図示例に限定されず、例えば図１７に示すように、文字以外のデザイン等であってもよい。この場合には、感度調整部材６１に設けられた開放孔６１２のうち、最も電波送受信感度がよくなる大きな開放孔６１２ａに対応するモード表示は電波が多く届いていることをイメージする形状とし、中程度の電波送受信感度となる開放孔６１２ｂに対応するモード表示は中程度の量の電波が届いていることをイメージする形状とする等、ユーザがモード表示６１１を見た場合に設定されている通信モードが直感的に容易に判断できるように、デザインを工夫することが好ましい。
【００７７】
また、モード表示は、電波送受信感度のレベルを表す「ＬＶ．１」「ＬＶ．２」「ＬＶ．２」で表される場合に限定されず、例えば、各電波送受信感度のレベルが対応する通信モード自体（例えば「ペアリングモード」「データ同期モード」「端末捜索モード／忘れ物防止モード」）をモード表示として感度調整部材上に表示させてもよい。
【００７８】
また、感度調整部材上に設けられる開放孔は３つに限定されず、さらに細かく分かれていてもよい。また、例えば図１８に示すように、アンテナ１３のほとんどを露出させる幅の広い部分とアンテナ１３のほとんどが開放孔以外の遮蔽部によって遮蔽される幅の狭い部分とが一つながりとなった１つの開放孔７１２を感度調整部材７１に設けてもよい。この場合、モード表示７１１として電波送受信感度のレベルを表す「ＬＶ．１」「ＬＶ．２」「ＬＶ．２」に対応してアンテナ１３の被遮蔽範囲が変わるようにする。
【００７９】
なお、本実施形態では、アンテナ１３の電波送受信感度を３段階に切り替えることができる場合を例示したが、切り替え可能な電波送受信感度は３段階に限定されない。さらに多くの段階に切り替え可能であってもよいし、例えば、図１８に示すような開放孔７１２を感度調整部材７１に設けた場合には、無段階的に電波送受信感度を切り替えることができるように構成してもよい。
例えば、ペアリングモードにおいて、当初設定された電波送受信感度では上手くペアリングが成立しなかった場合に、ペアリングが成立する感度までユーザが手動で少しずつ電波送受信感度を上げていくことができるように構成してもよい。
【００８０】
また、本実施形態では、アンテナ１３の電波送受信感度のレベルと通信モードとが関連付けられ、例えばペアリングモードが選択されたときには、最もアンテナ１３の電波送受信感度の低いレベル１（図４等において「ＬＶ．１」）になるように、ＣＰＵ及び調整部材駆動回路部の制御で調整部材駆動モータが駆動することによって、感度調整部材３１が回転する構成としたが、感度調整部材３１を回転させる構成はこのように通信モードの切り替えと電波送受信感度のレベルの切り替えとが連動し、通信モードの切り替えによって自動的に回転移動させる構成に限定されない。例えば、ユーザが竜頭等を操作することにより手動で所望の電波送受信感度となる位置まで感度調整部材３１を回転させる構成としてもよい。
【００８１】
また、図１９に示すように、感度調整部材８１にモード表示を兼ねる開放孔８１２を設けてもよい。
さらに、モード表示を兼ねる開放孔は複数ある場合に限定されず、例えば図２０に示すように、感度調整部材９１に、モード表示を兼ねる開放孔９１２を１つ設ける構成としてもよい。
【００８２】
また、本実施形態では、感度調整部材が円盤状の部材であり、これを回転させることによってアンテナ１３の電波送受信感度１３を制御する場合を例としたが、感度調整部材の形状等はこれに限定されない。例えば、感度調整部材を直線的に移動させることによってアンテナ１３の被遮蔽範囲を調整するように構成してもよい。
また、開放部は開放孔に限定されず、切り欠き部等で構成されてもよい。
【００８３】
その他、本発明が本実施形態に限定されず、適宜変更可能であることはいうまでもない。
【００８４】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
外部の機器との間で無線信号を送受信可能なアンテナの電波送受信感度を調整する感度調整装置であって、
電波の透過を妨げる遮蔽部と電波を透過させる開放部とを備える感度調整部材と、
この感度調整部材を前記アンテナに対して移動させて、前記アンテナに対する前記感度調整部材の前記遮蔽部及び前記開放部の位置を変更し、前記感度調整部材により遮蔽される前記アンテナの被遮蔽範囲を調整することにより、前記アンテナの電波送受信感度を調整可能な調整部材移動手段と、
を備えていることを特徴とする感度調整装置。
＜請求項２＞
異なる電波送受信感度の下で実現される複数の通信モードを実現可能であり、
前記通信モードを切り替え可能な通信モード切替手段をさらに備え、
前記感度調整部材又は当該感度調整部材の周辺部には、前記通信モードを示すモード表示が付され、
前記調整部材移動手段は、前記通信モード切替手段により前記通信モードが切り替えられると、当該通信モードに適した電波送受信感度となる位置まで前記感度調整部材を移動させるものであり、
前記感度調整部材は、当該通信モードに適した電波送受信感度となる位置に移動した際に、前記モード表示により当該通信モードをインジケートするように構成されていることを特徴とする請求項１に記載の感度調整装置。
＜請求項３＞
前記感度調整部材は、円盤状に形成された板状部材であり、
前記開放部は、この板状部材に穿設された孔であって、
前記調整部材移動手段は、前記感度調整部材の円中心を回転中心として前記感度調整部材を回転移動させることにより前記開放部の位置を移動させて、前記感度調整部材により遮蔽される前記アンテナの被遮蔽範囲を調整するものであることを特徴とする請求項１又は請求項２に記載の感度調整装置。
＜請求項４＞
前記感度調整部材は、電波吸収体で形成されていることを特徴とする請求項１から請求項３のいずれか一項に記載の感度調整装置。
＜請求項５＞
請求項１から請求項４のいずれか一項に記載の感度調整装置と、
前記感度調整装置により電波送受信感度を調整されるアンテナと、
を備えることを特徴とする電波通信機器。
【符号の説明】
【００８５】
１      本体ケース
６      ハウジング
１１    指針
１３    アンテナ
１４    ソーラーパネル
１５    文字板
３０    感度調整装置
３１    感度調整部材
３４    調整部材駆動モータ
３５    表示指針
３６    ＬＥＤ
１００  腕時計
２０８  調整部材駆動回路部
３１１  モード表示
３１２  開放孔
【図１】
2012205025.tif 000003
【図２】
2012205025.tif 000004
【図３】
2012205025.tif 000005
【図４】
2012205025.tif 000006
【図５】
2012205025.tif 000007
【図６】
2012205025.tif 000008
【図７】
2012205025.tif 000009
【図８】
2012205025.tif 000010
【図９】
2012205025.tif 000011
【図１０】
2012205025.tif 000012
【図１１】
2012205025.tif 000013
【図１２】
2012205025.tif 000014
【図１３】
2012205025.tif 000015
【図１４】
2012205025.tif 000016
【図１５】
2012205025.tif 000017
【図１６】
2012205025.tif 000018
【図１７】
2012205025.tif 000019
【図１８】
2012205025.tif 000020
【図１９】
2012205025.tif 000021
【図２０】
2012205025.tif 000022